(57)【要約】【課題】棚板上の対象物が落下しにくい収納棚を提供する。【解決手段】この収納棚１は、対象物４が載置される載置面５ｂを有する棚板５と、棚板５の前端部５ａに接合された前框６とを備える構成とする。前框６を棚板５の載置面５ｂよりも上方に突出させる。これにより、地震の揺れなどにより対象物４が前框６側へ移動しても、対象物４が前框に当たり対象物４の移動が抑制される。そのため対象物４が棚板５上から落下しにくくなる。【選択図】図１
2015124473.tif 000002
【特許請求の範囲】
【請求項１】
室内に設置される収納棚であって、
対象物が載置される載置面を有する棚板と、
前記棚板の前側の端部に接合された前框と、を備え、
前記前框は、前記載置面よりも上方に突出していることを特徴とする収納棚。
【請求項２】
前記前框の背面の前記載置面よりも上方の部分には、前記対象物が移動して前記前框に接触した際の衝撃を緩和する衝撃吸収部材が設けられていることを特徴とする請求項１に記載の収納棚。
【請求項３】
前記載置面の前記前框に隣接する部分には、前記対象物の移動を緩和する滑り止め部が設けられていることを特徴とする請求項１または２に記載の収納棚。
【発明の詳細な説明】
【技術分野】
【０００１】
本発明は、室内に設置される収納棚に関する。
【背景技術】
【０００２】
建物の室内に設置される押入れなどの収納棚には、物を置くための棚板が設置されている。棚板としては、収納棚の高さ方向の中央に配置された中段棚や天井に対面するように配置された枕棚などがある。このような棚板の前端部には、前端部の長手方向に沿って前端部の下面に当接するように前框が取り付けられている（例えば、特許文献１〜３参照）。
【先行技術文献】
【特許文献】
【０００３】
【特許文献１】特開２００２−２１３３１６号公報
【特許文献２】特開２００４−１０８１０３号公報
【特許文献３】特開２００５−４２３４９号公報
【発明の概要】
【発明が解決しようとする課題】
【０００４】
上記の特許文献１〜３に記載の従来技術では、前框の上端部は棚板の天面よりも突出しないように取り付けられている。具体的には、前框の上端部の後部側に棚板の板厚に対応する深さの段部が設けられ、この段部に棚板の前端部が載置されている。このように前框と棚板とを配置することで、上面が面一になっている。
【０００５】
近年、耐震対策への関心が高まっていることもあり、地震などの揺れによって棚板上の対象物の落下のおそれを低減することが求められている。本発明は、棚板上の対象物が落下しにくい収納棚を提供することを目的とする。
【課題を解決するための手段】
【０００６】
本発明は、室内に設置される収納棚であって、対象物が載置される載置面を有する棚板と、棚板の前側の端部に接合された前框と、を備え、前框は、載置面よりも上方に突出していることを特徴としている。
【０００７】
この収納棚では、前框が棚板の載置面よりも上方に突出しているので、載置面上に載置された対象物が地震などの揺れによって前方に移動しても前框に当たる。これにより、対象物の前方への移動が抑制されて対象物が落下するが低減される。
【０００８】
また、前框の背面の載置面よりも上方の部分には、対象物が移動して前框に接触した際の衝撃を緩和する衝撃吸収部材が設けられていてもよい。これにより、前框の背面を保護することができると共に対象物の損傷を防止することができる。また、対象物が衝撃吸収部材に当たることで、衝撃が吸収され、対象物に係る力が弱められて、対象物が前框を乗り越えるおそれが低くなる。
【０００９】
また、載置面の前框に隣接する部分には、対象物の移動を緩和する滑り止め部が設けられていることが好適である。このように滑り止め部が設けられていると、対象物が滑り止め部に接触して対象物の移動が抑制されるので、対象物が前框を乗り越えて落下するおそれが低くなる。また、対象物と前框の背面側とが接触するにしても、前框の直前で移動速度が低下し、その際の衝撃を和らげることができる。
【発明の効果】
【００１０】
本発明によれば、前框が棚板の載置面よりも上方に突出しているので、棚板上の対象物が落下しにくくなる。
【図面の簡単な説明】
【００１１】
【図１】本発明の第１実施形態に係る収納棚を示す図である。
【図２】図１中の収納棚を示す断面図である。
【図３】前框と受桟との取付構造を背面側から示す斜視図である。
【図４】本発明の第２実施形態に係る収納棚を示す断面図である。
【図５】本発明の第３実施形態に係る収納棚を示す断面図である。
【図６】本発明の第４実施形態に係る収納棚を示す断面図である。
【図７】本発明の第５実施形態に係る収納棚を示す斜視図である。
【発明を実施するための形態】
【００１２】
以下、図面を参照しつつ、本発明に係る収納棚の実施形態について詳細に説明する。
【００１３】
（第１実施形態）
図１に示される収納棚１は例えば住宅のＷＩＣ（walk-in closet）に設置され、対象物（例えば、収納箱、衣類など）４を載置するものである。収納棚１は例えば天井２に対向して配置された枕棚である。枕棚は一般的に床３から１８００ｍｍ程度の高さに配置されている。枕棚が設置される高さとしては床３から例えば１５００ｍｍ〜２１００ｍｍの範囲である。なお、収納棚１に対して対象物４を載置する際に使用者が立つ方を前方とする。
【００１４】
収納棚１は、図２に示されるように、対象物４が載置される棚板５と、棚板５の前端部５ａに接合された前框６とを備えている。棚板５は水平方向に配置され、棚板５の天面が対象物４を載置する載置面５ｂとなる。棚板５の厚みＴ１は例えば９ｍｍ〜３０ｍｍである。棚板５は、棚板５の幅方向（図示Ｘ方向）の端部側に配置された受桟７上に載置されている。受桟７は角柱状を成し、棚板５の幅方向の端部に対面する側壁１２に固定されている。受桟７は収納棚１の奥行方向（図示Ｙ方向）に沿って延在し、受桟７の天面７ａ（図３参照）に棚板５が載置される。
【００１５】
前框６は、棚板５の幅方向に沿って配置され、棚板５の載置面５ｂよりも上方に突出している。前框６は棚板５の載置面５ｂよりも上方に突出する突出部６ａを有する。前框６の上端面６ｂは、棚板５の載置面５ｂよりも高い位置に配置されている。前框６の長手方向（Ｘ方向）に直交する断面は矩形状を成している。前框６は例えば木材によって形成されている。前框６の長さは、棚板５の幅方向の長さに対応しており、棚板５の前端部５ａの端面５ｃを覆うように配置されている。前框６の厚みＴ２は収納棚１の奥行方向の長さであり、例えば２０ｍｍ〜４０ｍｍである。前框６の高さ方向（図示Ｚ方向）の幅Ｈ１は例えば４０ｍｍ〜１５０ｍｍである。前框６の突出部６ａの高さＨ２は、例えば３ｍｍ〜５０ｍｍである。前框６の突出部６ａの高さＨ２は、棚板５の載置面５ｂから前框６の上端面６ｂまでの高さである。
【００１６】
また、前框６の下端部６ｃは棚板５の下面５ｄよりも下方に突出している。前框６の下端部６ｃの突出量Ｈ３は、棚板５の下面５ｄから前框６の下端面６ｄまでの長さであり、例えば１３８ｍｍ以下である。なお、前框６は、棚板５の下面５ｄよりも下方に突出していない構成でもよい。
【００１７】
前框６は、円柱状の部材である木ダボ８を介して、棚板５の前端部５ａの端面５ｃに取り付けられている。前框６の背面６ｅには木ダボ８が挿入される穴部６ｆが複数形成されている。この穴部６ｆは前框６の長手方向に所定の間隔で配置されている。同様に棚板５の前端部５ａの端面５ｃには木ダボ８が挿入される穴部５ｅが複数形成されている。穴部５ｅは棚板５の幅方向に所定の間隔で配置され、前框６の穴部６ｆに対応する位置に配置されている。棚板５の穴部５ｅに木ダボ８の後端部を挿入し、端面５ｃから前方に突出する木ダボ８の前端部を前框６の穴部６ｆに嵌め込んで、前框６を棚板５の端面５ｃに取り付けることができる。
【００１８】
また、前框６は、Ｌ字状の取付具９，１０によって棚板５の前端部５ａに固定されている。取付具９は、前框６と棚板５とが交差する下側の角部に配置され、棚板５の下面５ｄに対して前框６の背面６ｅを固定する。取付具１０は、前框６と棚板５とが交差する上側の角部に配置され、棚板５の載置面５ｂに対して前框６の背面６ｅを固定する。
【００１９】
図３は、前框６を背面側から示す斜視図であり、前框６と受桟７との取付部の構造を示している。なお、図３では、棚板５が配置される位置を２点鎖線で示し、棚板５の図示を省略している。前框６は、Ｌ字状の取付具１１によって受桟７に固定されている。前框６の長手方向の端部において、前框６の背面６ｅと受桟７の前端部の端面とが当接している。取付具１１は、前框６の背面６ｅと受桟７の側面７ｂとが交差する角部に配置されて、受桟７に対して前框６を固定している。
【００２０】
このような収納棚１では、対象物４が棚板５の載置面５ｂに載置されて使用される。地震が発生すると棚板５上の対象物４は振動により載置面５ｂに沿って滑り出すおそれがある。収納棚１によれば、棚板５の前端部５ａに取り付けられた前框６が棚板５の載置面５ｂよりも上方に突出しているので、対象物４が前框６側へ移動しても、対象物４は前框６に当たり、前方への移動が停止され対象物４の棚板５からの落下が防止される。そのため室内に対象物４が落下するおそれが抑制される。また、通常の使用状態においても、使用者が対象物４を前方に移動させた場合に、対象物４が前框６に引っ掛かるので、誤って対象物４を落下させてしまうことが防止される。
【００２１】
（第２実施形態）
図４は第２実施形態に係る収納棚２１を示す断面図である。第２実施形態の説明において第１実施形態と同じ説明は省略する。第２実施形態の収納棚２１が第１実施形態の収納棚１と違う点は、前框６に代えて、前框６よりも上方への突出量（Ｈ４＜Ｈ２）が小さい前框１６を備える点である。前框１６は棚板５の載置面５ｂよりも上方に突出する突出部１６ａを有する。前框１６の上端面１６ｂは、棚板５の載置面５ｂよりも高い位置に配置されている。前框１６の突出部１６ａの高さ（突出量）Ｈ４は、例えば３ｍｍである。突出部１６ａの高さＨ４は、棚板５の載置面５ｂから前框１６の上端面１６ｂまでの高さである。
【００２２】
このような第２実施形態の収納棚２１においても上記の第１実施形態の収納棚１と同様な作用効果を奏する。収納棚２１では、突出部１６ａの高さＨ４が低いので、対象物４を棚板５上に載せる際には、前框１６が邪魔ならない。収納棚２１が枕棚として使用される場合には、比較的高い位置に棚板５配置されるので、突出部１６ａの高さＨ４を低くして対象物４を載せ易くすることができる。
【００２３】
（第３実施形態）
図５は第３実施形態に係る収納棚３１を示す断面図である。第３実施形態の説明において第１実施形態と同じ説明は省略する。第３実施形態の収納棚３１が第１実施形態の収納棚１と違う点は、前框６の突出部６ａの背面６ｅに衝撃吸収部材３２が設けられている点である。衝撃吸収部材３２は、対象物４が移動して前框６に接触した際の衝撃を緩和することが可能なものである。衝撃吸収部材３２として例えばウレタンゲルなどの樹脂を使用することができる。衝撃吸収部材３２として、ゴムなどの弾性部材を使用してもよい。衝撃吸収部材３２は、前框６の全長にわたって設けられていてもよく、部分的に配置されていてもよい。衝撃吸収部材３２は例えば前框６に対して接着されている。衝撃吸収部材３２は例えばビス止めされていてもよくその他の方法によって取り付けられていてもよい。
【００２４】
このような第３実施形態の収納棚３１においても上記の第１実施形態の収納棚１と同様な作用効果を奏する。収納棚３１では、前框６の突出部６ａの背面側に衝撃吸収部材３２が設けられているので、対象物４が前框６に当たっても衝撃吸収部材３２によって衝撃が緩和されるので、前框６の突出部６ａの背面を保護することができると共に対象物４の損傷を防止することができる。また、対象物４が衝撃吸収部材３２に当たると、対象物４の衝撃が吸収され、対象物に係る力が弱められて、対象物が前框６を乗り越えるおそれが低下する。
【００２５】
（第４実施形態）
図６は第４実施形態に係る収納棚４１を示す断面図である。第４実施形態の説明において上記の第１及び第２実施形態と同じ説明は省略する。第４実施形態の収納棚４１が第２実施形態の収納棚２１と違う点は、棚板５の前端部５ａの載置面５ｂ（前框に隣接する部分）には、滑り止め部材４２が設けられている点である。滑り止め部材４２は、対象物４の移動を緩和するものである。滑り止め部材４２として例えばウレタンゲルなどの樹脂を使用することができる。滑り止め部材４２として対象物の振動を抑制する制震材を使用してもよい。
【００２６】
滑り止め部材４２は、棚板５の幅方向の全長にわたって設けられていてもよく、部分的に配置されていてもよい。棚板５の前端部５ａの載置面５ｂに、衝撃吸収部材３２が埋め込まれる一対の溝部５ｆが形成されている。一対の溝部５ｆは棚板５の幅方向に延在し、互いに平行に配置されている。この一対の溝部５ｆに衝撃吸収部材３２が埋め込まれることで、衝撃吸収部材３２が棚板５に取り付けられている。衝撃吸収部材３２は、棚板５の載置面５ｂよりも盛り上がるように形成されている。衝撃吸収部材３２は前框１６の上端面６ｂよりも上方に突出していない。
【００２７】
このような第４実施形態の収納棚４１においても上記の第２実施形態の収納棚２１と同様な作用効果を奏する。収納棚４１では、棚板５の載置面５ｂの前框１６に隣接する部分に滑り止め部材４２が設けられているので、地震の揺れによって対象物４が移動しても、滑り止め部材４２によって前框１６側への移動が抑制される。また、通常時において、対象物４の前框１６側の部分を滑り止め部材４２上に乗り上げるように配置しておけば、地震が発生しても対象物４が動き難くなる。
【００２８】
（第５実施形態）
図７は第５実施形態に係る収納棚５１を示す斜視図である。第５実施形態の説明において上記の第１〜第４実施形態と同じ説明は省略する。図７に示される収納棚５１は例えば住宅の押入れに設置された中段棚である。この収納棚５１は棚板５と棚板５の載置面５ｂよりも上方に突出する前框６とを備えている。収納棚５１が中断棚として使用される場合、棚板５の高さは一般的に９００ｍｍ〜１０００ｍｍである。中段棚が設置される高さとしては床３から例えば７００ｍｍ〜１２００ｍｍの範囲である。収納棚５１の前框６の高さ方向の幅は例えば９０ｍｍである。
【００２９】
このような第５実施形態の収納棚５１においても上記の第１実施形態の収納棚１と同様な作用効果を奏する。また、中段棚である収納棚に対しても上記の第２〜第４実施形態の収納棚２１，３１，４１を採用してもよい。
【００３０】
本発明は、前述した実施形態に限定されず、本発明の要旨を逸脱しない範囲で下記のような種々の変形が可能である。
【００３１】
上記実施形態では、収納棚をＷＩＣや押入れに設置しているが、収納棚が設置される場所は、例えば寝室、トイレ、階段室、玄関などその他の場所でもよい。
【００３２】
また、前框は、棚板の幅方向（Ｘ方向）の全長にわたって、上方に突出する構成でもよく、部分的に突出する構成でもよい。また、前框は、厚み方向（Ｙ方向）の全長にわたって上方に突出する構成でもよく、厚み方向において部分的に上方に突出する構成でもよい。例えば、前框の上端部のうち、正面側の部分のみが棚板の載置面よりも上方に突出しているものでもよい。
【００３３】
また、上記実施形態では、木ダボ８やＬ字状の取付具を用いて、前框を棚板に取り付けているが、例えば、ビス止めでもよく、接着させてもよく、その他の取付具を用いて、前框を棚板に対して固定してもよい。
【符号の説明】
【００３４】
１，２１，３１，４１，５１…収納棚、４…対象物、５…棚板、５ａ…前端部、５ｂ…載置面、６，１６…前框、６ｅ…背面、３２…衝撃吸収部材、４２…滑り止め部材。
【図１】
2015124473.tif 000003
【図２】
2015124473.tif 000004
【図３】
2015124473.tif 000005
【図４】
2015124473.tif 000006
【図５】
2015124473.tif 000007
【図６】
2015124473.tif 000008
【図７】
2015124473.tif 000009